(57)【要約】      （修正有）【課題】比較的小さな設置面積を有しながら、多数の抵抗に基づく運動のエクササイズの実施を可能にする装置を提供する。【解決手段】エクササイズ装置１００は、枠１１０と、抵抗レバーアーム１５２と、抵抗レバーアーム１５２に装着される抵抗選択筺体１５８であって、抵抗レバーアーム１５２上の複数の装着点に位置づけ可能な抵抗選択筺体１５８と、抵抗選択筺体１５８に隣接して配置される抵抗システム１５０とを含む。抵抗システム１５０は、たわみ部材１７０を含み、たわみ部材１７０は、第１の端部および第２の端部と、第１の端部の位置を固定する第１のアンカー１７４と、第２の端部の位置を固定する第２のアンカー１７４とを有する。力が抵抗レバーアーム１５２に入力されると、抵抗レバーアーム１５２は、枢動点回りに枢動し、抵抗選択筺体１５８は、たわみ部材１７０を横方向に係合する。抵抗システム１５０によってもたらされる見掛けの抵抗は、アンカーに対して、装着点に沿って抵抗選択筺体１５８を位置的に調節することによって調節される。【選択図】図１
0003178775.tif 000002
【実用新案登録請求の範囲】
【請求項１】
枠と、
前記枠に枢動可能に装着される抵抗レバーと、
前記抵抗レバーに運動可能に装着される抵抗係合部材であって、前記抵抗レバー上の複数の装着点において位置づけ可能な、抵抗係合部材と、
前記抵抗係合部材に隣接して配置される抵抗要素であって、たわみ部材を含み、前記たわみ部材は、第１の端部および第２の端部と、前記たわみ部材の前記第１の端部に装着され、前記第１の端部の位置を固定する第１のアンカーと、前記たわみ部材の前記第２の端部に装着され、前記第２の端部の位置を固定する第２のアンカーとを有する、抵抗要素と
を備え、
力が前記抵抗レバーに入力されると、前記抵抗レバーは、前記枢動点回りに枢動し、前記抵抗係合部材は、前記たわみ部材を横方向に係合し、
前記抵抗要素によってもたらされる見掛けの抵抗は、前記第１のアンカーおよび前記第２のアンカーに対して、前記装着点に沿って前記抵抗係合部材を位置的に調節することによって調節されることを特徴とするエクササイズ装置。
【請求項２】
前記枠は、基部と、前記基部に装着される少なくとも１つの垂直支持部材とを備えることを特徴とする請求項１に記載のエクササイズ装置。
【請求項３】
前記第１のアンカーおよび前記第２のアンカーはそれぞれ、前記少なくとも１つの垂直支持部材に接続されることを特徴とする請求項２に記載のエクササイズ装置。
【請求項４】
前記枠は、基部と、前記基部に装着される少なくとも１つの垂直支持部材と、前記少なくとも１つの垂直支持部材に装着される枢動軸組立体とを備えることを特徴とする請求項１に記載のエクササイズ装置。
【請求項５】
前記第１のアンカーは前記枢動軸組立体に装着され、前記第２のアンカーは前記少なくとも１つの垂直支持部材に装着されることを特徴とする請求項４に記載のエクササイズ装置。
【請求項６】
前記抵抗レバー上に配置されるユーザ係合部材をさらに備えることを特徴とする請求項１に記載のエクササイズ装置。
【請求項７】
前記複数の装着点は、前記第１のアンカーと前記たわみ部材の中点との間に、前記抵抗係合部材を選択的に位置づけるように構成されることを特徴とする請求項１に記載のエクササイズ装置。
【請求項８】
前記抵抗レバーに接続される入力駆動部材をさらに含むことを特徴とする請求項１に記載のエクササイズ装置。
【請求項９】
前記入力駆動部材は、
第１の端部および第２の端部を有する入力レバーアームであって、前記入力レバーアームの第１の端部は、前記抵抗レバーに接続される、入力レバーアームと、
前記入力レバーアームの前記第２の端部の上に配置されるユーザ係合部材と
を備えることを特徴とする請求項８に記載のエクササイズ装置。
【請求項１０】
前記入力駆動部材は、ケーブルを備えることを特徴とする請求項８に記載のエクササイズ装置。
【請求項１１】
前記たわみ部材は、エラストマーを含むことを特徴とする請求項１に記載のエクササイズ装置。
【請求項１２】
前記エラストマーは、ラテックスゴムを含むことを特徴とする請求項１１に記載のエクササイズ装置。
【請求項１３】
前記エラストマーは、天然ゴム、スチレン−ブタジエンゴム、イソプレンゴム、ブタジエンゴム、エチレンプロピレンゴム、ブチルゴム、クロロプレンゴム、ニトリルゴム、またはシリコンゴムのうちの１つを含むことを特徴とする請求項１１に記載のエクササイズ装置。
【請求項１４】
前記抵抗係合部材は、選択ピンを含み、
前記抵抗レバーは、複数の開口部を画定し、前記選択ピンを受けて、前記抵抗レバー上に、前記第１のアンカーおよび前記第２のアンカーに対して前記抵抗係合部材を位置的に固定することを特徴とする請求項１に記載のエクササイズ装置。
【請求項１５】
前記抵抗係合部材は、前記たわみ部材に隣接して配置される、少なくとも１つのアバットメント軸受筒をさらに備えることを特徴とする請求項１に記載のエクササイズ装置。
【請求項１６】
前記抵抗係合部材は、第１のアバットメント軸受筒および第２のアバットメント軸受筒をさらに備え、
前記たわみ部材は、前記第１のアバットメント軸受筒と前記第２のアバットメント軸受筒との間に配置されることを特徴とする請求項１５に記載のエクササイズ装置。
【請求項１７】
前記抵抗係合部材は、前記抵抗レバー上に、前記第１のアンカーおよび前記第２のアンカーに対して少なくとも第１の位置および第２の位置を有するように構成され、
前記第１の位置に位置づけられる前記抵抗係合部材は、前記抵抗レバーの角回転に応答して、前記たわみ部材の軸をほぼ横断する方向に、前記たわみ部材を第１の量だけ屈折させ、
前記第２の位置に位置づけられる前記調節可能な係合部材は、前記抵抗レバーの前記角回転に応答して、前記たわみ部材の軸をほぼ横断する方向に、前記たわみ部材を第２の量だけ屈折させることを特徴とする請求項１に記載のエクササイズ装置。
【請求項１８】
基部と、前記基部に装着される少なくとも１つの垂直支持部材とを含む枠と、
前記枠に枢動可能に装着される抵抗レバーと、
前記抵抗レバーに接続される入力駆動部材と、
前記抵抗レバーに運動可能に装着される抵抗係合部材であって、少なくとも１つのアバットメント軸受筒を含み、前記抵抗レバー上の複数の装着点において位置づけ可能であり、選択ピンを含む、抵抗係合部材と、
前記抵抗係合部材に隣接して配置される抵抗要素であって、エラストマーのたわみ部材を含み、前記たわみ部材は、第１の端部および第２の端部と、前記たわみ部材の前記第１の端部に装着され、前記第１の端部の位置を固定する第１のアンカーと、前記たわみ部材の前記第２の端部に装着され、前記第２の端部の位置を固定する第２のアンカーとを有し、前記第１のアンカーおよび前記第２のアンカーはそれぞれ、前記少なくとも１つの垂直支持部材に接続される、抵抗要素と
を備え、
前記抵抗レバーは、複数の開口部を画定し、前記選択ピンを受けて、前記抵抗レバー上に、前記第１のアンカーおよび前記第２のアンカーに対して前記抵抗係合部材を位置的に固定し、
力が前記抵抗レバーに入力されると、前記抵抗レバーは、前記枢動点回りに枢動し、前記抵抗係合部材は、前記たわみ部材を横方向に係合し、
前記抵抗要素によってもたらされる見掛けの抵抗は、前記第１のアンカーおよび前記第２のアンカーに対して、前記装着点に沿って前記抵抗係合部材を位置的に調節することによって調節されることを特徴とするエクササイズ装置。
【請求項１９】
前記枠は、前記少なくとも１つの垂直支持部材に装着される枢動軸組立体をさらに備え、
前記抵抗レバーは、前記枢動軸組立体に枢動可能に接続され、前記入力駆動部材は、前記枢動軸組立体を介して前記抵抗レバーに接続され、
前記第１のアンカーは、前記枢動軸組立体に装着され、前記第２のアンカーは、前記少なくとも１つの垂直支持部材に装着され、
前記抵抗係合部材は、第１のアバットメント軸受筒および第２のアバットメント軸受筒をさらに備え、
前記たわみ部材は、前記第１のアバットメント軸受筒と前記第２のアバットメント軸受筒との間に配置されることを特徴とする請求項１８に記載のエクササイズ装置。
【請求項２０】
基部と、前記基部に装着される少なくとも１つの垂直支持部材と、前記少なくとも１つの垂直支持部材に装着される枢動軸組立体とを含む枠と、
前記枠に枢動可能に装着される抵抗レバーと、
前記抵抗レバーに接続される入力駆動部材と、
前記抵抗レバーに運動可能に装着される抵抗係合部材であって、前記抵抗レバー上の複数の装着点において位置づけ可能であり、選択ピンを含む、抵抗係合部材と、
前記抵抗係合部材に隣接して配置される抵抗要素であって、エラストマーのたわみ部材を含み、前記たわみ部材は、第１の端部および第２の端部と、前記たわみ部材の前記第１の端部に装着され、前記第１の端部の位置を固定する第１のアンカーと、前記たわみ部材の前記第２の端部に装着され、前記第２の端部の位置を固定する第２のアンカーとを有し、前記第１のアンカーおよび前記第２のアンカーはそれぞれ、前記少なくとも１つの垂直支持部材に接続される、抵抗要素と
を備え、
前記抵抗レバーは、複数の開口部を画定し、前記選択ピンを受けて、前記抵抗レバー上に、前記第１のアンカーおよび前記第２のアンカーに対して前記抵抗係合部材を位置的に固定し、
前記抵抗係合部材は、第１のアバットメント軸受筒および第２のアバットメント軸受筒を含み、前記たわみ部材は、前記第１のアバットメント軸受筒と前記第２のアバットメント軸受筒との間に配置され、
力が前記抵抗レバーに入力されると、前記抵抗レバーは、前記枢動点回りに枢動し、前記抵抗係合部材は、前記たわみ部材を横方向に係合し、
前記抵抗要素によってもたらされる見掛けの抵抗は、前記第１のアンカーおよび前記第２のアンカーに対して、前記装着点に沿って前記抵抗係合部材を位置的に調節することによって調節され、
前記抵抗係合部材は、前記抵抗レバー上に、前記第１のアンカーおよび前記第２のアンカーに対して少なくとも第１の位置および第２の位置を有するように構成され、
前記第１の位置に位置づけられる前記抵抗係合部材は、前記抵抗レバーの角回転に応答して、前記たわみ部材の軸をほぼ横断する方向に、前記たわみ部材を第１の量だけ屈折させ、
前記第２の位置に位置づけられる前記調節可能な係合部材は、前記抵抗レバーの前記角回転に応答して、前記たわみ部材の軸をほぼ横断する方向に、前記たわみ部材を第２の量だけ屈折させることを特徴とするエクササイズ装置。
【考案の詳細な説明】
【技術分野】
【０００１】
本考案は抵抗部材を使用するエクササイズ装置に関する。
【背景技術】
【０００２】
エクササイズ装置は、一般的に、装置のユーザによって引っ張られるケーブルによって駆動される積層重りを使用する。最近、帯（ｂａｎｄ）または板（ｐｌａｔｅ）などの抵抗性弾性部材は、エクササイズ機器の中に組み入れられて、運動抵抗をもたらしている。具体的には、抵抗性弾性部材は、運動の所望の範囲を通してほぼ一定の張力をもたらし、ほぼ一定の張力に抗して増加するスタビライザ筋の使用を促進する能力があるので、ますます好評を博してきた。
【０００３】
抵抗性弾性部材の使用は、多くの便益をもたらす一方で、従来の装置構成は、エクササイズ装置の有用性を減縮する恐れがある。例えば、ある種のケーブルで駆動される装置を用いて実施されうるエクササイズの範囲は、時として、装置自体の位置および向きによって制限される。特に、帯および板など、抵抗性弾性部材の使用によって提供される、運動および抵抗の追加の範囲に対して、消費者のニーズと考察とは、多くの場合一致しない。加えて、抵抗性弾性部材の従来の使用は、弾性部材材料の力に抵抗するほぼ直線的な軸方向の運動に限定されてきた。
【０００４】
抵抗ベースの装置の１つの種類が、ＩＣＯＮ  ＩＰ，  ＩＮＣ．に譲渡された米国特許第７，２５０，０２２号明細書に開示される。この特許では、エクササイズ機械は、細長い部材の中間部は、エクササイズ機械の支点を係合するように、水平方向を向く複数の弾力のある細長い部材を含む。ユーザは、弾力性のある細長い部材の異なる組合せと数とをとらえることによって、もたらされる量または抵抗を調節する。また、代替の抵抗ベースの装置は、Ｄａｎｉｅｌ  Ｗ．  Ｅｍｉｃｋに発行された米国特許第６，６８９，０２５号明細書に開示される。この特許では、長さが所望の長さに修正された後のラバーチューブ（ｒｕｂｂｅｒ  ｔｕｂｉｎｇ）を軸方向に延ばすことによる抵抗トレーニングのために使用されるラバーチューブの、有効な長さを選択的に修正するために手回しクランク（ｈａｎｄ  ｃｒａｎｋ）を使用する、エクササイズ機械が開示される。
【先行技術文献】
【特許文献】
【０００５】
【特許文献１】米国特許第７，２５０，０２２号明細書
【特許文献２】米国特許第６，６８９，０２５号明細書
【考案の概要】
【考案が解決しようとする課題】
【０００６】
比較的小さな設置面積（ｆｏｏｔｐｒｉｎｔ）を有しながら、多数の抵抗に基づく運動のエクササイズの実施を可能にする装置を提供することを目的とする。
【課題を解決するための手段】
【０００７】
本考案の一態様では、エクササイズ装置は、枠（ｆｒａｍｅ）と、枠に枢動可能に装着される抵抗レバーと、抵抗レバーに運動可能に装着される抵抗係合部材と、抵抗係合部材に隣接して配置される抵抗要素とを含む。
【０００８】
これらの態様の任意の組合せを含んでよい本考案の別の態様は、抵抗レバー上の複数の装着点に位置づけ可能な抵抗係合部材を含む。
【０００９】
これらの態様の任意の組合せを含んでよい本考案のさらに別の態様は、たわみ部材である抵抗要素を含み、たわみ部材は、第１の端部および第２の端部と、たわみ部材の第１の端部に装着され、第１の端部の位置を固定する第１のアンカー（ａｎｃｈｏｒ）と、たわみ部材の第２の端部に装着され、第２の端部の位置を固定する第２のアンカーとを有する。
【００１０】
これらの態様の任意の組合せを含んでよい本考案のさらに別の態様は、力が抵抗レバーに入力されると、抵抗レバーは、枢動点（ｐｉｖｏｔ  ｐｏｉｎｔ）回りに枢動し、抵抗係合部材は、たわみ部材を横方向に係合するように構成される。
【００１１】
これらの態様の任意の組合せを含んでよい本考案のさらに別の態様は、抵抗要素によってもたらされる見掛けの（ａｐｐａｒｅｎｔ）抵抗は、第１のアンカーおよび第２のアンカーに対して、装着点に沿って抵抗係合部材を位置的に調節することによって調節されるように構成される。
【００１２】
これらの態様の任意の組合せを含んでよい本考案のさらに別の態様は、基部と、基部に装着される少なくとも１つの垂直の支持（以下、垂直支持）（ｖｅｒｔｉｃａｌ  ｓｕｐｐｏｒｔ）部材とを有する枠を含む。
【００１３】
これらの態様の任意の組合せを含んでよい本考案のさらに別の態様は、少なくとも１つの垂直支持部材にそれぞれ接続される第１のアンカーおよび第２のアンカーを含む。
【００１４】
これらの態様の任意の組合せを含んでよい本考案のさらに別の態様は、基部と、基部に装着される少なくとも１つの垂直支持部材と、少なくとも１つの垂直支持部材に装着される枢動軸組立体（ｐｉｖｏｔ  ａｓｓｅｍｂｌｙ）とを含む。
【００１５】
これらの態様の任意の組合せを含んでよい本考案のさらに別の態様は、枢動軸組立体に装着される第１のアンカーと、少なくとも１つの垂直支持部材に装着される第２のアンカーとを含む。
【００１６】
これらの態様の任意の組合せを含んでよい本考案のさらに別の態様は、抵抗レバー上に配置されるユーザ係合部材を含む。
【００１７】
これらの態様の任意の組合せを含んでよい本考案のさらに別の態様は、第１のアンカーとたわみ部材の中点との間に、抵抗係合部材を選択的に位置づけるように構成される、複数の装着点を含む。
【００１８】
これらの態様の任意の組合せを含んでよい本考案のさらに別の態様は、抵抗レバーに接続される入力駆動部材（ａｃｔｕａｔｉｏｎ  ｍｅｍｂｅｒ）を含む。
【００１９】
これらの態様の任意の組合せを含んでよい本考案のさらに別の態様は、第１の端部および第２の端部を有する入力レバーアーム（ｌｅｖｅｒ  ａｒｍ）であって、入力レバーアームの第１の端部は、抵抗レバーに接続される、入力レバーアームと、入力レバーアームの第２の端部に配置されるユーザ係合部材とを含む。
【００２０】
これらの態様の任意の組合せを含んでよい本考案のさらに別の態様は、ケーブルの形態の入力駆動部材を含む。
【００２１】
これらの態様の任意の組合せを含んでよい本考案のさらに別の態様は、エラストマー（ｅｌａｓｔｏｍｅｒ）のたわみ部材を含む。
【００２２】
これらの態様の任意の組合せを含んでよい本考案のさらに別の態様は、ラテックスゴム、天然ゴム、スチレン−ブタジエンゴム、イソプレンゴム、ブタジエンゴム、エチレンプロピレンゴム、ブチルゴム、クロロプレンゴム、ニトリルゴム、またはシリコンゴムのうちの１つの形態のたわみ部材を含む。
【００２３】
これらの態様の任意の組合せを含んでよい本考案のさらに別の態様は、選択ピン（ｓｅｌｅｃｔｉｏｎ  ｐｉｎ）を含む抵抗係合部材を含む。
【００２４】
これらの態様の任意の組合せを含んでよい本考案のさらに別の態様は、複数の開口部（ｏｒｉｆｉｃｅ）を画定し、選択ピンを受けて、抵抗レバー上に、第１のアンカーおよび第２のアンカーに対して抵抗係合部材を位置的に固定する抵抗レバーを含む。
【００２５】
これらの態様の任意の組合せを含んでよい本考案のさらに別の態様は、たわみ部材に隣接して配置される、少なくとも１つのアバットメント（ａｂｕｔｍｅｎｔ）軸受筒（ｂｕｓｈｉｎｇ）を有する抵抗係合部材を含む。
【００２６】
これらの態様の任意の組合せを含んでよい本考案のさらに別の態様は、第１のアバットメント軸受筒および第２のアバットメント軸受筒を含む抵抗係合部材を含み、たわみ部材は、第１のアバットメント軸受筒と第２のアバットメント軸受筒との間に配置される。
【００２７】
これらの態様の任意の組合せを含んでよい本発明のさらに別の態様は、抵抗レバー上に、第１のアンカーおよび第２のアンカーに対して少なくとも第１の位置および第２の位置を有するように構成される抵抗係合部材を含み、第１の位置に位置づけられる抵抗係合部材は、抵抗レバーの角回転（ａｎｇｕｌａｒ  ｒｏｔａｔｉｏｎ）に応答して、たわみ部材の軸をほぼ横断する方向に、たわみ部材を第１の量だけ屈折させ、第２の位置に位置づけられる調節可能な係合部材が、抵抗レバーの角回転に応答して、たわみ部材の軸をほぼ横断する方向に、たわみ部材を第２の量だけ屈折させる。
【図面の簡単な説明】
【００２８】
添付の図面は、本方法および本システムの種々の実施形態を例示し、本明細書の一部を成す。例示する実施形態は、本システムおよび本方法の単なる例であり、それらの範囲を限定するものではない。
【００２９】
【図１】一実施形態による、抵抗ベースのエクササイズ装置の側面輪郭図である。
【図２】一実施形態による、抵抗ベースのエクササイズ装置の正面斜視図である。
【図３】一実施形態による、抵抗ベースのエクササイズ装置の背面斜視図である。
【図４】一実施形態による、抵抗ベースのエクササイズ装置の背面図である。
【図５】一実施形態による、抵抗ベースのエクササイズ装置の上面斜視図である。
【図６】一実施形態による、抵抗システムの背面斜視切り欠き図である。
【図７】一実施形態による、抵抗システムの前面分解側面図である。
【図８】一実施形態による、第１の抵抗構成において動作中の抵抗ベースのエクササイズ装置の背面図である。
【図９】一実施形態による、第２の抵抗構成において動作中の抵抗ベースのエクササイズ装置の背面図である。
【図１０】代替的実施形態による、抵抗ベースのエクササイズ装置の側面図である。
【図１１】代替的実施形態による、抵抗ベースのエクササイズ装置の正面斜視図である。
【図１２】代替的実施形態による、抵抗ベースのエクササイズ装置の背面図である。
【００３０】
図面を通して、同一の参照番号は、類似の、しかし必ずしも同一ではない要素を表す。
【考案を実施するための形態】
【００３１】
図１〜図５を参照すると、抵抗ベースのエクササイズシステム１００は、基部１１０の形態の枠と、垂直支持構造１３０と、枢動軸組立体１４０とを含む。図１〜図５に例示するように、抵抗ベースのエクササイズシステム１００はまた、入力駆動部材１２０と、枢動軸組立体１４０を介して垂直支持構造１３０に枢動可能に接続される抵抗システム１５０とを含む。基部１１０は、支持構造として働き、システムが位置づけられ所望のエクササイズが行われる床または他の表面を係合する。その結果、図示のように、基部１１０は、複数のエクササイズを実施するためのほぼ平らな表面をもたらしながら、基部の安定な設置面積（ｆｏｏｔｐｒｉｎｔ）を維持する足場１１２を含む。図示のように、使用中、ユーザの重量が足場１１２に加えられ、足場および基部の底面１１４にわたって分配され、基部１１０の有効な設置面積を増大させ、それにより、動作中のシステム１００を安定にすることができる。足場１１２は、任意の数の滑らない表面または摩擦を増大された材料を含み、ユーザの安定性を支援し、エクササイズしている間の不測の動きを防止することができる。さらに、足場１１２は、樹脂、金属、複合物、他を限定されずに含む、任意の数の耐久性のある材料で作られてよい。一構成では、基部１１０は、構造用樹脂でほぼ長方形に形成され、設置面積の大きさおよび複数の方向における安定性を最大にしながら、足の配置およびユーザの支持を容易にする。あるいは、基部１１０は、安定性、格納性、および／または部屋への配置（ｒｏｏｍ  ｐｌａｃｅｍｅｎｔ）をもたらすために、任意の数の所望の構成および形状を想定することができる。
【００３２】
少なくとも１つの垂直方向に向く支持部材１３０が、垂直方向に向く基部延長部（ｂａｓｅ  ｅｘｔｅｎｓｉｏｎ）１１６を介して基部１１０に接続される。図示のように、動作中に基部延長部１１６および垂直支持構造１３０に加えられる力は、基部１１０に向かって下方に移送され、基部１１０全体を通して消散する。基部延長部１１６は、基部構造に連続的に形成され、または基部構造に固定的に装着され、垂直の方向に突出する。基部構造１１０は、溶接、留め具、圧入、接着剤を限定されずに含む、任意の数の接合技術または中間部材を介して基部延長部に接続されてよく、いくつかの構成では、基部１１０と一体に形成されてよい。例示される実施形態によれば、基部延長部１１６は、垂直に突出して、垂直の支持体（以下、垂直支持体）（ｖｅｒｔｉｃａｌ  ｓｕｐｐｏｒｔ）１３０のための搭載場所をもたらしながら、装置１００の動作によってシステムに課せられるいかなる力にも抗する。図に示すように、１つまたは複数の垂直支持体搭載部材１１８が、基部延長部１１６と垂直支持部材１３０とを結合するために使用されてよい。１つまたは複数の搭載部材１１８を介して垂直支持部材１３０を基部延長部に接続することは、固定されてよく、あるいは基部延長部１１６と垂直支持部材１３０との間で入れ子構成（ｔｅｌｅｓｃｏｐｉｎｇ  ｃｏｎｆｉｇｕｒａｔｉｏｎ）（図示せず）で、ユーザの身長および好みに応じて、抵抗ベースのエクササイズシステム１００の有効な高さを変えるために調節可能であってよい。加えて、図１および図５に例示するように、垂直支持部材１３０または基部１１０は、図６および図７を参照して、以下により詳細に説明するように、抵抗システムを装着するための底部搭載点１７３を含んでよい。
【００３３】
図１〜図５に例示する実施形態について続けると、垂直支持部材１３０が上方に延び、枢動軸組立体１４０を含む。図１〜図５に例示するように、支持取っ手１２８が、枢動軸組立体１４０の回りまたは付近に形成されてよく、動作中に、ユーザが自分の安定性を向上させるための係合点を提供する。図示のように、支持取っ手１２８は、ユーザが任意の数の方向から支持取っ手を把持することができるように、垂直支持部材１３０に結合される、湾曲した円筒形の部材であってよい。
【００３４】
図示のように、枢動軸組立体は、垂直支持体１３０の上端に配置されるが、他の場所に置かれてもよい。本実施形態によれば、枢動軸組立体１４０は、空洞または穴を画定する枢動軸筐体（ｐｉｖｏｔ  ｈｏｕｓｉｎｇ）１４６を含む。枢動軸筐体１４６の内部の領域は、図８および図９を参照して以下により詳細に説明するように、入力駆動部材１２０の回転と、その回転の抵抗システム１５０への移転とを容易にする。枢動軸筐体は、入力駆動部材１２０および抵抗レバー１５２の回転を可能にする大きさに作られる。図１〜図５に例示する実施形態によれば、駆動部材１２０と、抵抗システム１５０の抵抗レバーアーム１５２とは、駆動部材１２０の回転が抵抗レバーアーム１５２に移転され、抵抗レバーアーム１５２の運動を引き起こすように、枢動軸組立体１４０内で接続される。具体的には、駆動部材１２０と、抵抗システム１５０の抵抗レバーアーム１５２とは、スリーブ（ｓｌｅｅｖｅ）、アバットメント、または中間の接続部材を介して枢動軸組立体内に同軸に接続されてよい。
【００３５】
図示のように、複数の軸受筒１４４が、枢動軸筐体１４６と抵抗レバーアーム１５２との間、および／または枢動軸筐体１４６と駆動部材１２０との間の本枢動軸組立体１４０の中に組み入れられてよい。軸受筒１４４は、抵抗ベースのエクササイズシステム１００の運動部が、摩擦によって課せられる抵抗がほぼ無い状態で、枢動軸筐体内で自由に回転することができるように、枢動軸筐体１４６と抵抗レバーアーム１５２との間、および枢動軸筐体１４６と駆動部材１２０との間の抵抗を減少させる。
【００３６】
例示する実施形態によれば、駆動部材１２０は、抵抗システム１５０に対向して、抵抗ベースのエクササイズシステム１００の第１の側に配置される。駆動部材１２０は、基部１１０の上方に配置され、駆動部材１２０が枢動軸組立体１４０回りに枢動するように、枢動軸組立体１４０に枢動可能に装着される。特に、一実施形態によれば、駆動部材１２０は、枢動軸筐体１４６および軸受筒１４４に隣接して同軸に位置づけられる駆動枢動軸蓋（ａｃｔｕａｔｉｏｎ  ｐｉｖｏｔ  ｃａｐ）１４２を含む。駆動枢動軸蓋１４２の端部上に、ユーザに安定性を付加するための取っ手１２６が存在する。駆動枢動軸蓋１４２は、枢動軸筐体１４６を貫通する内部部材（図示せず）を含んでよく、個別の蓋が比例的に関連付けられて回転するように、駆動枢動軸蓋１４２を対応するレバー蓋（ｌｅｖｅｒ  ｃａｐ）１４８に連結する。
【００３７】
駆動部材１２０は、駆動枢動軸蓋１４２から基部１００に向かって延び、ユーザ係合部材１２２で終端するレバーアーム１２４を含む。例示する実施形態によれば、レバーアームは、非係合状態にあるとき、駆動枢動軸蓋１４２から基部１１０に向かって、垂直支持体１３０に平行に真っ直ぐに下を向く。垂直の開始位置（ｓｔａｒｔｉｎｇ  ｏｒｉｅｎｔａｔｉｏｎ）が図１〜図５に例示されるが、任意の数の固定または可変の開始位置が、駆動枢動軸蓋１４２の回転位置（ｒｏｔａｔｉｏｎａｌ  ｏｒｉｅｎｔａｔｉｏｎ）を、対応するレバー蓋１４８に対して修正することによって達成されうる。さらに、開始位置は、予張力を加えた位置であってよい。図示のように、レバーアーム１２４は、レバーアーム１２４の任意の回転が、駆動枢動軸蓋１４２に伝達され、引き続き抵抗システム１５０の抵抗レバーアーム１５２に伝達されるように、駆動枢動軸蓋に固定的に接続される。レバーアーム１２４は、ユーザによるユーザ係合部材１２２への力の入力によって駆動されてよい。図１〜図５に例示する実施形態によれば、ユーザ係合部材１２２は、レバーアーム１２４の端部に配置され、レバーアーム１２４にほぼ垂直に向けられる。ユーザ係合部材は、パッド入りであってよく、またはパッド入りでなくてよい。図１〜図５に例示するパッド入りの実施形態は、発泡部材を、限定されずに含んでよい。
【００３８】
駆動部材１２０は、枢動軸組立体１４０を介して抵抗システム１５０に回転可能に結合される。図６に示すように、例示される抵抗システム１５０は、枢動軸組立体１４０に枢動可能に接続される抵抗レバーアーム１５２に直接接続される、レバー蓋１４８を含む。駆動部材１２０の一部を形成するレバーアーム１２４と同様に、抵抗レバーアーム１５２は、レバー蓋１４８が回転するのにつれて、抵抗レバーアームも同様に枢動点回りに回転または枢動するように、レバー蓋１４８に接続される。図示のように、抵抗レバーアーム１５２は、複数の装着点を画定する複数の調節用開口部（ａｄｊｕｓｔｍｅｎｔ  ｏｒｉｆｉｃｅ）１５４を画定する主本体（ｍａｉｎ  ｂｏｄｙ）を有する。抵抗レバーアーム１５２は、抵抗レバーアームに関連する付加的な選択特性による不測の撤去を防止するような大きさに作られる、レバー端１５９によって終端する。図示のように、抵抗係合部材１５７は、抵抗レバーアーム上に形成され、抵抗選択筐体１５８を含み、抵抗選択筐体１５８は、抵抗レバーアーム１５２に滑動可能に接続され、ノブ（ｋｎｏｂ）の形態の選択アクチュエータ（ｓｅｌｅｃｔｉｏｎ  ａｃｔｕａｔｏｒ）１５６を含む。一実施形態によれば、選択アクチュエータ１５６は、引っ張られると、抵抗レバーアーム１５２上に形成される調節用開口部１５４を選択的に係合して、抵抗選択筐体１５８を抵抗レバーアーム上に位置づける、図７の選択ピン７００を解除する。一実施形態によれば、複数のアバットメント軸受筒１６０は、選択アクチュエータ１５６に対向して、抵抗選択筐体１５８上に形成される。図示のように、アバットメント軸受筒１６０は、抵抗ベースのエクササイズシステム１００に錨止される（ａｎｃｈｏｒｅｄ）たわみ部材１７０を係合する。図６に例示する実施形態によれば、たわみ部材１７０は、第１のアンカー１７４によって垂直支持体１３０に下端で装着され、第２のアンカー１７４によって枢動軸筐体１４６に上端で装着される。加えて、複数の任意選択の枠軸受筒（ｆｒａｍｅ  ｂｕｓｈｉｎｇ）１７２は、垂直支持体１３０に装着されるように例示され、そこにおいて、枠軸受筒１７２は、たわみ部材１７０を係合することができる。抵抗システム１５０の構造および動作のさらなる詳細は、図７〜図９を参照して以下に提供される。
【００３９】
図７は、一実施形態による抵抗システム１５０の分解図を示す。図示のように、抵抗レバーアーム１５２は、抵抗レバーアーム１５２と共に駆動部材１２０に接続され、ユーザによる力の入力を駆動部材から抵抗レバーアームまで伝達する主ハブ（ｍａｉｎ  ｈｕｂ）７００を含む。枢動軸筐体１４６に枢動可能に接続される抵抗レバーアーム１５２は、主ハブ７００から延び、複数の調節用開口部１５４を画定し、それにより、たわみ部材１７０に対する、抵抗選択筐体１５８の位置を修正するために、抵抗レバーアームが割り出しレバー（ｉｎｄｅｘｉｎｇ  ｌｅｖｅｒ）となることを可能にする。図示のように、抵抗レバーアーム１５２は、丸められた縁部を有するいくぶん長方形の断面形状を有する主本体を含む。加えて、図７に例示するように、レバーアーム１５２は、選択ピン７０５を選択的に受けるような大きさに作られた複数の調節用開口部１５４を画定し、それにより、抵抗レバーアーム１５２および隣接するたわみ部材１７０に対する、抵抗選択筐体１５８の位置を固定する。調節用開口部１５４は、レバーアーム１５２の正面の本体を横断するように例示されるが、調節用開口部１５４は、任意の適切な向きを想定されてよい。加えて、ピンと開口部との係合システムが図７に例示されるが、ラチェットシステム、ピンシステム、ギアシステム、他を限定されずに含めて、任意の数の選択的調節機構が、抵抗レバーアーム１５２に対する抵抗選択筐体１５８の位置を選択的に固定するために使用されてよい。
【００４０】
図７を継続すると、抵抗レバーアーム１５２は、抵抗選択筐体１５８の中に滑動可能に受け入れられる大きさに作られる。具体的には、抵抗選択筐体１５８は、抵抗レバーアーム１５２を滑動可能に受ける大きさに作られるレバーアーム受入開口部（ｒｅｃｅｐｔｉｏｎ  ｏｒｉｆｉｃｅ）７３０を画定する主本体を含む。抵抗選択筐体１５８は、その前面の上に形成され、選択ピン開口部７２０を画定する選択ピン筐体７１０をさらに含む。図示のように、選択ピン開口部７２０は、選択ピン７０５の上に形成される挿入停止具（ｉｎｓｅｒｔｉｏｎ  ｓｔｏｐ）７０７を有し、かつ選択ピン７０５に装着される選択アクチュエータを有する、選択ピン７０５を受ける大きさに作られる。一実施形態によれば、選択ピン７０５は、選択ピン開口部７２０の内部にばね装荷され（ｓｐｒｉｎｇ  ｌｏａｄｅｄ）、位置を維持するばね力に打ち勝つように、選択アクチュエータ１５６に引っ張り力を加えることによって切り離されるまで、選択ピン７０５を、係合される位置に維持する。
【００４１】
図７に例示する実施形態によれば、レバーアーム受入開口部７３０は、さらに、抵抗選択筐体が抵抗レバーアーム１５２を上下に滑動させるのにつれて、選択ピンが調節用開口部１５４と整合するように、抵抗選択筐体１５８内で抵抗レバーアーム１５２の位置を確定する（ｏｒｉｅｎｔ）大きさに作られる。抵抗選択筐体の位置を変更することが所望されるとき、ユーザは、選択アクチュエータ１５６を引っ張り、それにより、選択ピン７０５が調節用開口部１５４から切り離され、選択ピン７０５が所望の調節用開口部に係合されるまで、抵抗レバーアーム１５２に沿って抵抗選択筐体１５８が滑動可能に移転し、それにより、抵抗選択筐体の位置を錠止することを可能にする。
【００４２】
加えて、複数の軸受筒の軸（以下、軸受筒軸）（ｂｕｓｈｉｎｇ  ａｘｅｌ）７４０が、抵抗選択筐体１５８の背面に装着される。図示のように、軸受筒軸７４０はそれぞれ、各アバットメント軸受筒の中に画定される軸受入開口部７５０の中に軸受筒軸７４０を挿入することによって、アバットメント軸受筒１６０を受けて固定するように構成される。一実施形態によれば、軸受筒軸７４０は、締まりばめ、接着剤、機械的留め具、他を限定されずに含む、任意の締結システムによって、アバットメント軸受筒１６０の軸受入開口部７５０に固定される。また、図７は、アバットメント軸受筒１６０のそれぞれの上に形成されるたわみ部材の溝（以下、たわみ部材溝）７６０を例示する。一実施形態によれば、アバットメント軸受筒１６０のそれぞれの上に形成されるたわみ部材溝７６０は、たわみ部材１７０をたわみ部材溝７６０の中に係合し着座させる大きさに作られる。このことは、使用中、たわみ部材１７０における摩耗を低減する。たわみ部材溝７６０の内面は、滑らかな面または粗な面を限定されずに含む、任意の数の表面仕上げを有してよい。一実施形態によれば、たわみ部材溝７６０は、ポリマー、金属、またはナイロンを含む複合物のうちの任意の数で形成されてよい。
【００４３】
さらに、図７は、たわみ部材１７０を抵抗ベースのエクササイズシステム１００に結合するアンカー１７４を例示する。たわみ部材１７０およびアンカー１７４は、本システムの抵抗要素を作り上げる。図示のように、アンカー１７４のそれぞれは、垂直支持体１３０または枢動軸筐体１４６にそれぞれ結合される本体を含む。図示のように、アンカー１７４のそれぞれは、たわみ部材１７０を受ける大きさに作られた、たわみ部材受入穴（ｒｅｃｅｐｔｉｏｎ  ｈｏｌｅ）７７０を画定する。一実施形態によれば、一度、たわみ部材がたわみ部材受入穴７７０を通過すると、結び目がたわみ部材の端部に形成されてよく、たわみ部材１７０の端部の寸法が増加して、アンカー１７４の中でその位置を維持し、たわみ部材がたわみ部材受入穴７７０を通過するのを防止する。あるいは、留め具または他の広がり部材（ｆｌａｒｉｎｇ  ｍｅｍｂｅｒ）が、たわみ部材１７０の端部に装着されてよく、たわみ部材をアンカー１７４の中に、位置的に固定する。アンカー１７４は、たわみ部材１７０を位置的に固定するように例示されるが、ポストアイレット（ｐｏｓｔ  ａｎｄ  ｅｙｅｌｅｔ）、留め具、接着剤、成形、他を限定されずに含む、任意の数の固定化システム（ｆｉｘａｔｉｏｎ  ｓｙｓｔｅｍ）が、たわみ部材を固定するために使用されてよい。
【００４４】
抵抗ベースのエクササイズシステム１００の抵抗構成要素を形成するたわみ部材１７０は、単一の円筒形たわみ部材を有するように示される。以下により詳細に説明するように、たわみ部材は、アバットメント軸受筒によって係合され、たわみ部材１７０を曲げる（ｆｌｅｘ）ためまたは引き延ばすために横方向に屈折され、たわみ部材１７０によって呈示される弾性係数に依存して運動に抵抗し、横方向の曲げ力が取り除かれると、たわみ部材をその元の位置に戻す。図７は、抵抗を、抵抗ベースのエクササイズシステム１００にもたらす、単一のたわみ部材１７０を例示する。しかし、特性を変化させる任意の数のたわみ部材１７０が、ユーザの運動に利用可能な抵抗を選択的に修正するために、システムに追加されてよい。加えて、図７のたわみ部材１７０は、円筒形の形状を有するように例示されるが、たわみ部材は、任意の数の幾何学的形状を想定することができる。一実施形態によれば、たわみ部材１７０は、横方向の力に応答してたわみ、特に弾性変形を呈する、樹脂、エラストマー、金属、繊維性材料、織物材料、複合物、他を限定なしに含む、任意の数の材料で形成されてよい。一実施形態によれば、たわみ部材は、エラストマー部材である。エラストマー部材は、ラテックスゴム、天然ゴム、スチレン−ブタジエンゴム、イソプレンゴム、ブタジエンゴム、エチレンプロピレンゴム、ブチルゴム、クロロプレンゴム、ニトリルゴム、シリコンゴム、およびそれらの組合せであってよいが、決して限定はされない。
【００４５】
本システムによれば、抵抗レバーアーム１５２に対して、抵抗選択筐体１５８および関連するアバットメント軸受筒１６０の位置を選択的に変更することで、エクササイズ中にユーザが経験する抵抗を、制御可能に修正することが可能になる。一実施形態によれば、たわみ部材１７０は、
Ｆ＝−ｋｘ
で表されるフックの弾性の法則にほぼ従う。すなわち、ばねまたは弾性部材によって発揮される抵抗力（ｒｅｓｉｓｔｉｖｅ  ｆｏｒｃｅ）（Ｆ）は、比率（ｒａｔｅ）すなわちばね定数（ｋ）に、ばねまたは弾性部材の変位（ｘ）を乗じた値の負数に等しい。
【００４６】
図８に例示するように、抵抗選択筐体が、抵抗レバーアーム１５２の底の部分に固定されると、ユーザによる力の入力は、抵抗レバーアーム１５２の回転Ｒを引き起こし、それにより、抵抗レバーアーム１５２は、垂直支持体１３０に対して角度Θだけ回転する。図８に示すように、この構成では、たわみ部材１７０は、比較的大きい量を変位し、その結果、比較的高い抵抗力をユーザに与える。
【００４７】
対照的に、図９に例示するように、抵抗選択筐体が、抵抗レバーアームの最も高い部分に固定されると、ユーザによる力の入力が、抵抗レバーアーム１５２の同じ回転Ｒを引き起こし、それにより、抵抗レバーアーム１５２は、やはり、垂直支持体１３０に対して角度Θまで回転する。しかし、この構成では、たわみ部材１７０は、比較的小さい量を横方向に変位し、その結果、比較的小さい抵抗力をユーザに与える。枢動軸組立体１４０に対する抵抗選択筐体１５８の配置が、たわみ部材１７０の相対的な変位（ｘ）を決定し（ｄｉｃｔａｔｅ）、その結果、抵抗力Ｆを決定する。例えば、アバットメント軸受筒１６０の変位は、２Ｌ＊π＊Θに等しく、ここで、Ｌは、図８および図９に例示するように、抵抗選択筐体１５８から枢動軸組立体１４０に対する距離に等しい。
【００４８】
図示のように、抵抗レバーアーム１５２の調節用開口部は、たわみ部材１７０の中点からたわみ部材の頂部まで、抵抗選択筐体１５８を選択的に位置づけるように割り出される。あるいは、抵抗レバー１５２は、たわみ部材の潜在的な変位、それゆえ抵抗を最大にするために、たわみ部材１７０に対して任意の場所に、抵抗選択筐体１５８を配置することを可能にするように構成されてよい。
【００４９】
代替実施形態
複数の修正が、図１〜図９に例示するシステムになされてよい。例えば、図１０および図１１は、一代替的実施形態による抵抗ベースのエクササイズシステム１０００を例示する。代替的抵抗ベースのエクササイズシステム１０００は、それが、基部１１０、垂直支持体１３０、枢動軸組立体１４０、支持取っ手１２８、垂直支持体および枢動軸組立体に錨止されるたわみ部材１７０を含むという点において、図１〜図９に例示する実施形態に類似する。加えて、代替的抵抗ベースのエクササイズシステム１０００は、選択アクチュエータ１５６および複数のアバットメント軸受筒１６０を有する抵抗選択筐体１５８を含む。同様に、図示のように、代替的実施形態は、垂直支持体１３０に平行に下方に延びて、ユーザ係合部材１２２で終端する駆動枢動軸蓋１４２に接続される、駆動部材１０２４を含む。しかし、代替的実施形態の駆動部材１０２４はまた、レバーアームとして働き、レバーアームの側面に複数の調節用開口部１０５４を含み、割り出し用レバーアームを生成して、駆動部材１０５４上で、たわみ部材１７０に対して抵抗選択筐体１５８を選択的に位置づけるのを容易にする。この実施形態によれば、ユーザ係合部材１２２への力の入力が、駆動部材１０２４の回転を引き起こし、アバットメント軸受筒１６０をたわみ部材に係合させてたわみ部材を変位させ、それにより、駆動部材１０２４の回転に抵抗を入力する。図１〜図９に例示する実施形態に類似して、たわみ部材１７０によってもたらされる抵抗は、抵抗選択筐体１５８の、たわみ部材および枢動軸組立体１４０に対する配置に比例する。
【００５０】
前の実施形態は、ユーザ係合部材１２２で終端する下向きの棒の形態の駆動部材１２０を含むように例示されるが、棒、取っ手、ケーブル、ストラップ、他を限定されずに含む、任意の数の駆動部材が、抵抗レバーアーム１５２を回転可能に駆動するために使用されてよい。例えば、図１２は、抵抗システム１５０に回転可能に結合されるケーブル１２００を含む、本抵抗ベースのエクササイズシステム１００の一代替的実施形態を例示する。一実施形態によれば、カラビニア（ｃａｒａｂｉｎｅｅｒ）などの交換可能な結合機器が、ケーブル１２００に装着されて、所望の駆動部材の結合を可能にする。この実施形態によれば、直線力Ｆをケーブル１２００に与える任意のエクササイズは、その力が、ケーブル１２００に接続される取っ手、ストラップ、棒、または別のケーブルのいずれからのものにせよ、抵抗レバーアーム１５２を回転させ、それにより、たわみ部材１７０を屈折させて、入力の力Ｆに対抗する抵抗力を導く。
【００５１】
産業上の用途
一般に、本開示の構造は、比較的小さな設置面積を有しながら、多数の抵抗に基づく運動のエクササイズの実施を可能にする装置を提供する。より具体的には、本装置は、単一の弾性部材によって生成される抵抗力を活用し（ｌｅｖｅｒａｇｅ）ながら、構造の駆動される部分の係合場所を修正することによって柔軟性を付加する。この構成は、システムの大きさを最小にしながら、安全性と利便性とを付加する。すなわち、筋肉を鍛える抵抗力をもたらすために積層重りおよび他の抵抗システムを使用する従来のシステムとは対照的に、本システムは、持ち上げられ、重力と組み合わせてユーザに抵抗をもたらす、重い抵抗部材を含まない。代わりに、本システムは、選択的にかつ横方向に係合され、駆動されるレバーアームによって変位させられる、１つまたは複数のたわみ部材を使用して、ユーザのために、筋肉を増強するおよび／または筋肉を調整する（ｔｏｎｉｎｇ）抵抗を生成する。エクササイズシステムに結合されたままの１つまたは複数のたわみ部材を組み入れることによって、ユーザに対する利便性が向上する。ユーザはもはや、体験する抵抗を修正するために、プレートまたは抵抗部材を追加するかまたは取り除く必要はない。
【００５２】
加えて、ユーザに抵抗力をもたらすために使用されるたわみ部材の数を低減することによって、装置のコストが、従来の抵抗ベースのエクササイズ装置と比較すると、低減される。
【００５３】
さらに、本抵抗ベースのエクササイズ装置は、小さな設置面積を有する装置の中に、広範囲の抵抗力をもたらす。一実施形態によれば、本抵抗ベースのエクササイズ装置の抵抗システムは、垂直方向に向いており、装置の運動は、中央の枢動軸組立体に集中しているので、装置は、比較的小さな空間の中で、格納および動作が可能である。加えて、エクササイズ装置の小さな寸法は、システムを、容易に、クローゼットまたは他の格納領域に搬入し、そこから搬出することを可能にする。
【００５４】
本説明では、好ましい構造および関連する材料を説明する。しかし、本システムおよび本方法は、任意の数の代用の材料およびシステムを用いて実施されてよい。例えば、一実施形態によれば、本システムは、単一の垂直支持部材１３０を有するように例示されるが、任意の数の追加の支持部材が、構造強化および／または機能強化のために実施されてよい。さらに、垂直支持部材は、基部延長部から直線的に突出する直線部材として例示されるが、垂直支持部材は、湾曲部材または弓状部材を限定されずに含む、任意の数の方位または形状を想定することができる。
【００５５】
同様に、説明する実施形態によれば、垂直支持部材１３０は、中空の管類で作製される。本システムは、ほぼ円形の断面を有する鋼管で形成される垂直支持部材によって例示されるが、垂直支持部材は、楕円、四角、長方形、Ｉ型梁、他を限定されずに含む、所望の構造強度をもたらすために、任意の数の断面構成を想定することができる。加えて、一実施形態によれば、垂直支持部材は、鋼、アルミニウム、他などであるが限定はされない金属で形成される。あるいは、複合物、ポリマー、他を限定されずに含む、任意の十分に安定な材料または材料の組合せが、本垂直支持構造を形成するために使用されてよい。
【００５６】
支持取っ手は、円形の輪郭および断面を有するような図形で例示されるが、多様な形状を有する任意の数の取っ手または他の安定化構造が、枢動軸組立体または垂直支持体の中に組み入れられてよい。
【００５７】
さらに、一実施形態によれば、駆動部材および抵抗レバーアームは、アバットメントまたはスリーブを介して枢動軸組立体を通して直接連結され、駆動部材および抵抗レバーアームは、駆動部材に与えられる入力運動に対して、抵抗レバーアームの回転を減少または増加させる歯車列を限定されずに含む、任意の数の機構、中間部材、または構成を介して結合されてよい。歯車列の使用は、抵抗レバーアームの全回転に対して、駆動部材の運動の利用可能な範囲を増加させるため、および／または駆動部材の小さな回転に対して、抵抗性の力（ｒｅｓｉｓｔａｎｃｅ  ｆｏｒｃｅ）を増加させるために使用されてよい。
【００５８】
本システムは、摩擦によって誘発される抵抗を低減するために、枢動軸組立体の中に軸受筒を含むように説明されるが、軸受、グリース、犠牲部材、グラファイト、他を限定されずに含む、任意の数の抵抗削減部材が、枢動軸筐体と関連づけられてよい。
【００５９】
上記の一実施形態によれば、ユーザ係合部材は、連続気泡発泡体（ｏｐｅｎ  ｃｅｌｌ  ｆｏａｍ）、独立気泡発泡体（ｃｌｏｓｅｄ  ｃｅｌｌ  ｆｏａｍ）、ポリエチレン発泡体、高密度発泡体、ｅｖｌｏｎ、高弾性発泡体、ラテックスゴム発泡体、ｓｕｐｒｅｅｍ発泡体、ｒｅｂｏｎｄ発泡体、記憶発泡体、ｄｒｙ  ｆａｓｔ発泡体、ネオプレン発泡体（ｎｅｏｐｒｅｎｅ  ｆｏａｍ）、粘弾性ポリマーゲル（ｖｉｓｃｏｅｌａｓｔｉｃ  ｐｏｌｙｍｅｒ  ｇｅｌ）、他を限定されずに含む発泡体などの詰め物（ｐａｄｄｉｎｇ）を含んでよい。あるいは、ユーザ係合部材は、どのように係合されるべきかに応じて、ユーザ係合部材は、ユーザ係合部材の表面を向上させるために、ギザギザのある表面仕上げ、または任意の他の表面仕上げを含んでよい。
【００６０】
レバーアームは、ほぼ長方形であるように、上で例示され、説明されるが、レバーアームは、楕円形、円形、正方形、三角形、他を限定されずに含む、任意の数の断面形状を想定することができる。さらに、レバーアームは、構造的に堅固な部材を生み出す任意の数の材料および／または工程から形成されてよい。具体的には、一実施形態によれば、レバーアームは、金属、樹脂、木、複合物、他で形成されてよい。
【００６１】
本システムは、力を入力する部材としてユーザ係合部材を有する、回転的に駆動されるレバーアームを有するように説明されるが、プーリ、ケーブル、棒、他を限定されずに含む、任意の数の、力を入力する部材が、本抵抗システムとともに使用されてよい。加えて、本抵抗ベースのエクササイズシステムは、駆動部材と抵抗システムの抵抗レバーアームとの間で１：１の回転比を有するように説明される。しかし、任意の数の歯車減速システムまたは変速機が、所望のエクササイズ運動および抵抗効果を可能にするために、本抵抗システムと共に使用されてよい。
【００６２】
結論として、本システムおよび本方法は、重りまたは帯を変更する不便を伴うことなく、さまざまな抵抗のレベルを有する複数のエクササイズを実施することを可能にする、コンパクトなエクササイズシステムを提供する。より具体的には、本システムは、単一のたわみ部材のさまざまな抵抗特性を活用して、複数のエクササイズの実施を容易にしながら、エクササイズシステムの寸法および重量を最小にする。
【図１】
0003178775.tif 000003
【図２】
0003178775.tif 000004
【図３】
0003178775.tif 000005
【図４】
0003178775.tif 000006
【図５】
0003178775.tif 000007
【図６】
0003178775.tif 000008
【図７】
0003178775.tif 000009
【図８】
0003178775.tif 000010
【図９】
0003178775.tif 000011
【図１０】
0003178775.tif 000012
【図１１】
0003178775.tif 000013
【図１２】
0003178775.tif 000014